(57)【要約】      （修正有）【課題】表示同期グループ間で表示の同期を行い続ける、映像信号送出装置を提供する。【解決手段】撮像装置７００において、映像データを複数の映像表示機に送出する映像送出手段と、表示遅延量を取得する表示遅延量取得手段と、表示同期グループを示す情報であるグループＩＤを取得するグループＩＤ取得手段と、第１第２の表示同期グループ内の表示装置の１つから表示同期グループに所属する表示装置の遅延量に関する制御情報である遅延制御情報を生成する第１第２の遅延量制御情報生成手段と、第１の表示同期グループと、第２の表示同期グループとが表示の同期を行うか否かを示す表示同期モードを決定する表示同期モード決定手段と、を有する。第１第２の表示同期グループが同期を行うモードである場合に、第２の遅延量制御情報生成手段は、第１の遅延量制御情報生成手段で生成する遅延量制御情報を使用して前記第２の遅延量制御情報を生成する。【選択図】図７
2020107924.tif 000002
【特許請求の範囲】
【請求項１】
映像データを複数の映像表示機に送出する映像送出手段と、
前記映像送出手段から映像データを送出してから前記映像表示機が表示するまでの遅延量である表示遅延量を取得する表示遅延量取得手段と、
前記表示装置が所属する表示の同期を行う表示同期グループを示す情報であるグループＩＤを取得するグループＩＤ取得手段と、
第１の表示同期グループ内の表示装置の１つから前記表示同期グループに所属する表示装置の遅延量に関する制御情報である遅延制御情報を生成する第１の遅延量制御情報生成手段と、
第２の表示同期グループ内の表示装置の１つから前記表示同期グループに所属する表示装置の遅延量に関する制御情報である遅延制御情報を生成する第２の遅延量制御情報生成手段と、
前記第１の表示同期グループと、前記第２の表示同期グループとが表示の同期を行うか否かを示す表示同期モードを決定する表示同期モード決定手段と、
前記表示同期モード決定手段が決定する表示同期モードが前記第１の表示同期グループと、前記第２表示同期グループとが同期を行うモードである場合に、前記第２の遅延量制御情報生成手段は、前記第１の遅延量制御情報生成手段で生成する遅延量制御情報を使用して前記第２の遅延量制御情報を生成することを特徴とする映像信号送出装置。
【請求項２】
前記第２の遅延量制御情報生成手段は、前記第１の遅延量制御情報生成手段で生成する遅延量制御情報と、前記第２の遅延量制御情報生成手段で生成する遅延量制御情報と、を比較して、記第１の遅延量制御情報生成手段で生成する遅延量制御情報の遅延量の方が大きい場合のみ、前記第１の遅延量制御情報生成手段で生成する遅延量制御情報を使用して前記第２の遅延量制御情報を生成ことを特徴とする請求項１に記載の映像信号送出装置。
【請求項３】
前記第１の表示同期グループと、前記第２の表示同期グループと、から優先する表示同期グループを決定する表示同期優先グループ決定手段と、を備え、前記第２の遅延量制御情報生成手段は、前記表示同期優先グループ決定手段が決定する表示同期グループの遅延量制御情報を使用して前記第２の遅延量制御情報を生成することを特徴とする請求項１に記載の映像信号送出装置。
【請求項４】
前記表示同期モード決定手段が、映像信号送出機の状態に応じて表示同期モードを決定することを特徴とする請求項１に記載の映像信号送出装置。
【発明の詳細な説明】
【技術分野】
【０００１】
本発明は、ネットワークを介して映像信号を受信する処理装置、同期制御システム、及びこれらの制御方法、並びにプログラムに関する。
【背景技術】
【０００２】
映像信号をＩｎｔｅｒｎｅｔ  Ｐｒｏｔｏｃｏｌ（以降はＩＰと記載する）に変換して、Ｌｏｃａｌ  Ａｒｅａ  Ｎｅｔｗｏｒｋ（以降はＬＡＮと記載する）ケーブル経由で送受信する技術は、設備の拡張性等の利便性から、今後普及することが想定される。ＩＰで伝送された映像信号を処理する受信装置は、例えば、映像信号を用いて画像を表示する表示装置である。また、同一の出力装置から出力された映像信号を、複数の受信装置で受信して処理することが可能である。
【０００３】
また、映像信号をＩＰに非圧縮で変換する方法がある。
【０００４】
そして、１つの映像送出機の映像信号を、ＩＰに変換してＬＡＮケーブルで送信した映像を複数の表示装置にて表示する場合に、各表示装置間で表示同期を行う方法として、表示同期を行う表示装置を１つの表示同期グループとして、その表示同期グループのリファレンスとする表示装置の遅延情報を用いる方法がある。
【０００５】
また、特許文献１のシステムは、メディアグループのメタデータを使用して、そのグループとは異なるメディアグループの再生時に利用することで、異なるメディアグループを同時に再生した際に再生の同期を行うことができる。
【先行技術文献】
【特許文献】
【０００６】
【特許文献１】特開２０１６−１０５５９７号公報
【発明の概要】
【発明が解決しようとする課題】
【０００７】
特許文献１の技術を用いれば、特定タイミングで表示同期グループの遅延情報をメタデータとして生成・保持し、そのメタデータを他の表示同期グループの遅延情報として適応することで異なる表示同期グループ間での表示の同期が可能となる。
【０００８】
しかし、表示同期グループの遅延時間が動的に変動するようなシステムにおいては、特定のタイミングの遅延情報から作成したメタデータによって表示同期グループ間での表示の同期を行い続けることは困難である、という課題がある。
【課題を解決するための手段】
【０００９】
上記の課題を解決するために、本発明に係る映像信号送出装置は、
映像データを複数の映像表示機に送出する映像送出手段と、前記映像送出手段から映像データを送出してから前記映像表示機が表示するまでの遅延量である表示遅延量を取得する表示遅延量取得手段と、前記表示装置が所属する表示の同期を行う表示同期グループを示す情報であるグループＩＤを取得するグループＩＤ取得手段と、第１の表示同期グループ内の表示装置の１つから前記表示同期グループに所属する表示装置の遅延量に関する制御情報である遅延制御情報を生成する第１の遅延量制御情報生成手段と、第２の表示同期グループ内の表示装置の１つから前記表示同期グループに所属する表示装置の遅延量に関する制御情報である遅延制御情報を生成する第２の遅延量制御情報生成手段と、前記第１の表示同期グループと、前記第２の表示同期グループとが表示の同期を行うか否かを示す表示同期モードを決定する表示同期モード決定手段と、前記表示同期モード決定手段が決定する表示同期モードが前記第１の表示同期グループと、前記第２表示同期グループとが同期を行うモードである場合に、前記第２の遅延量制御情報生成手段は、前記第１の遅延量制御情報生成手段で生成する遅延量制御情報を使用して前記第２の遅延量制御情報を生成し、前記第２の遅延量制御情報生成手段は、前記第１の遅延量制御情報生成手段で生成する遅延量制御情報と、前記第２の遅延量制御情報生成手段で生成する遅延量制御情報と、を比較して、記第１の遅延量制御情報生成手段で生成する遅延量制御情報の遅延量の方が大きい場合のみ、前記第１の遅延量制御情報生成手段で生成する遅延量制御情報を使用して前記第２の遅延量制御情報を生成し、前記第１の表示同期グループと、前記第２の表示同期グループと、から優先する表示同期グループを決定する表示同期優先グループ決定手段と、を備え、前記第２の遅延量制御情報生成手段は、前記表示同期優先グループ決定手段が決定する表示同期グループの遅延量制御情報を使用して前記第２の遅延量制御情報を生成し、前記表示同期モード決定手段が、映像信号送出機の状態に応じて表示同期モードを決定することを特徴とする。
【発明の効果】
【００１０】
本発明に係る映像信号送出装置によれば、表示同期グループ間での表示の同期を行い続けることが容易となる。
【図面の簡単な説明】
【００１１】
【図１】本発明における映像表示同期方法を説明するための表示システムの構成を示す構成図である。
【図２】本発明におけるＩＰ化した映像信号を説明するための説明図である。
【図３】本発明における映像表示同期方法に関してＩＤＭＳレポートとＩＤＭＳセッティングを説明する説明図である。
【図４】本発明における映像表示同期方法に関して映像表示同期を行う方法を説明する説明図である。
【図５】本発明の実施形態１における撮像装置の構成を構成を示すブロック図である。
【図６】本発明の実施形態１における撮像装置の構成を構成を示すブロック図である。
【図７】本発明の実施形態１における撮像装置の構成を構成を示すブロック図である。
【図８】本発明の実施形態２における撮像装置の構成を構成を示すブロック図である。
【図９】本発明の実施形態２における撮像装置の動作フローを説明する説明図である。
【発明を実施するための形態】
【００１２】
以下、添付の図面を参照して本発明の好適な実施形態について説明する。
【００１３】
図１は、第１の実施形態における出力装置（撮像装置１００）と複数の処理装置（表示装置２００ａ、２００ｂ、２００ｃ、２００ｄ、２００ｅ、２００ｆ）とからなる送受信システムの構成を示す模式図である。
【００１４】
撮像装置１００と表示装置２００ａ〜２００ｆとの間はネットワークを介して接続される。撮像装置１００と表示装置２００ａ〜２００ｆとは、それぞれＬＡＮケーブル３００ａ〜３００ｇと接続し、ＬＡＮケーブル３００ａ〜３００ｇを介して、ＩＰネットワーク４００と接続する。撮像装置１００と表示装置２００ａ〜２００ｆとは、ＬＡＮケーブル３００ａ〜３００ｇとＩＰネットワーク４００とを介して、ＲＴＰパケット化された映像信号の送受信を行う。
【００１５】
撮像装置１００および表示装置２００ａ〜２００ｆで構成されるシステムは、ＲＦＣ７２７２（ｈｔｔｐｓ：／／ｔｏｏｌｓ．ｉｅｔｆ．ｏｒｇ／ｈｔｍｌ／ｒｆｃ７２７２）に開示されている方法によって、表示装置２００ａ〜２００ｃにおける処理の同期が行われる。また、同様に表示装置２００ｄ〜２００ｆにおいても処理の同期が行われる。同期の方法については、後述する。
【００１６】
撮像装置１００は、被写体を撮像して得られた映像信号をＩＰに変換してネットワークを介して各表示装置に送信する送信装置である。例えば、撮像装置１００は、ＲＦＣ４１７５（ｈｔｔｐｓ：／／ｔｏｏｌｓ．ｉｅｔｆ．ｏｒｇ／ｒｆｃ／ｒｆｃ４１７５．ｔｘｔ）に記載されている手段によってＩｎｔｅｒｎｅｔ  Ｐｒｏｔｏｃｏｌ（ＩＰ）形式、より具体的にはＲｅａｌ  Ｔｒａｎｓｐｏｒｔ  Ｐｒｏｔｏｃｏｌ（ＲＴＰ）パケットに変換して送信するとする。また、撮像装置１００は、複数の表示装置２００ａ〜２００ｃまたは表示装置２００ｄ〜２００ｆが、互いに同期して表示処理を実行可能なように、表示処理のタイミングを示す情報（ＩＤＭＳ  Ｓｅｔｔｉｎｇｓ  Ｐａｃｋｅｔ、セッティング情報）を出力する。セッティング情報の詳細については後述する。
【００１７】
表示装置２００ａ〜２００ｆは、ネットワークを介して映像信号を受信する受信装置である。また、表示装置２００ａ〜２００ｆは、受信した映像信号に基づいて画像を表示する表示部を備える表示装置である。さらに、表示装置２００ａ〜２００ｆは、映像信号の受信時刻と当該映像信号に基づいて画像が表示された時刻と表示装置が所属する同期グループを示すＩＤ情報とを示す情報（ＲＴＣＰ  ＸＲ  ＩＤＭＳ  Ｒｅｐｏｒｔ  Ｂｌｏｃｋ、レポート情報）を出力する。レポート情報の詳細は後述する。
【００１８】
図２は、撮像装置１００が出力するＩＰ化（ＲＴＰパケット化）した映像信号のデータ形式を示す模式図である。
【００１９】
ＲＴＰパケットは、ＩＰヘッダー４０１、Ｕｓｅｒ  Ｄａｔａｇｒａｍ  Ｐｒｏｔｏｃｏｌ（以降はＵＤＰと記載する）ヘッダー４０２、ＲＴＰヘッダー４０３、及びＲＴＰペイロード４０４で構成される。このうち映像信号はＲＴＰペイロード４０４に格納される。
【００２０】
図３は、レポート情報およびセッティング情報のデータ形式を示す模式図である。
【００２１】
図３（ａ）は、表示装置２００から送信されるレポート情報５００のデータ形式の一部を示す模式図である。レポート情報５００は、グループＩＤ情報５０１、受信時刻情報５０２、対象信号情報５０３、および処理時刻情報５０４を含む。
【００２２】
グループＩＤ情報５０１は同期に関する情報を示し、映像表示同期を行うネットワークグループを示すＳｙｎｃｈｒｏｎｉｚａｔｉｏｎ  Ｇｒｏｕｐ  Ｉｄｅｎｔｉｆｉｅｒ（グループ情報）を含むＭｅｄｉａ  Ｓｔｒｅａｍ  Ｃｏｒｒｅｌａｔｉｏｎ  Ｉｄｅｎｔｉｆｉｅｒである。以降、Ｓｙｎｃｈｒｏｎｉｚａｔｉｏｎ  Ｇｒｏｕｐ  ＩｄｅｎｔｉｆｉｅｒをＳｙｎｃＧｒｏｕｐＩＤと記載する。図１のシステムにおいては、表示装置２００ａ〜２００ｃとで表示同期を行い、表示装置２００ｄ〜２００ｆとで表示同期を行う。そのため表示装置２００ａ〜２００ｃは、表示処理を同期するため、夫々のＳｙｎｃＧｒｏｕｐＩＤは同一の値となる。そして、同様に、表示装置２００ｄ〜２００ｆは、表示処理を同期するため、夫々のＳｙｎｃＧｒｏｕｐＩＤは同一の値となる。
【００２３】
対象信号情報５０３は、レポート情報５００が対象とする映像信号（ＲＴＰパケット）を特定するための情報である。対象信号情報５０４は、ＲＦＣ４１７５に記載のＲＴＰ  Ｈｅａｄｅｒのｔｉｍｅｓｔａｍｐ（Ｐａｃｋｅｔ  Ｒｅｃｅｉｖｅｄ  ＲＴＰ  ｔｉｍｅｓｔａｍｐ）であるとする。
【００２４】
受信時刻情報５０２は、表示装置２００が対象信号情報５０３で特定されるＲＴＰパケットを受信した時刻を示す情報である。受信時刻情報５０２は、ＲＦＣ７２７２で定義されるＰａｃｋｅｔ  Ｒｅｃｅｉｖｅｄ  ＮＴＰ  ｔｉｍｅｓｔａｍｐであるとする。
【００２５】
処理時刻情報５０４は、表示装置２００が対象信号情報５０３で特定されるＲＴＰパケットに基づいて、画像を表示した時刻を示す情報である。処理時刻情報５０４は、ＲＦＣ７２７２で定義されるＰａｃｋｅｔ  Ｐｒｅｓｅｎｔｅｄ  ＮＴＰ  ｔｉｍｅｓｔａｍｐであるとする。
【００２６】
図３（ｂ）は、撮像装置１００から出力されるセッティング情報６００のデータ形式の一部を示す模式図である。
【００２７】
セッティング情報６００は、グループＩＤ情報６０１、受信時刻情報６０２、対象信号情報６０３、および処理時刻情報６０４を含む。
【００２８】
撮像装置１００が出力するセッティング情報は、撮像装置１００が取得した各表示装置２００ａ〜２００ｆのレポート情報のうち、撮像装置１００が参照処理装置として決定した表示装置から受信したレポート情報であるとする。したがって、セッティング情報６００のグループＩＤ情報６０１、受信時刻情報６０２、対象信号情報６０３、および処理時刻情報６０４の詳細は、レポート情報の同名の情報と同様であるので説明を省略する。
【００２９】
また、本システムでは、表示装置２００ａ〜２００ｃとで同期を行い、表示装置２００ｄ〜２００ｆとで同期うため、撮像装置１００は、表示装置２００ａ〜２００ｃから１台の参照処理装置を決定し、表示装置２００ｄ〜２００ｆから１台の参照処理装置を決定するため、２種類のセッティング情報を出力する。
【００３０】
図４は、撮像装置１００と表示装置２００ａ〜２００ｆとで構成される同期制御システムにおける同期制御処理を示すシーケンス図である。
【００３１】
表示装置２００ａ〜２００ｃの同期制御処理についてシーケンス図を用いて説明する。また、表示装置２００ｄ〜２００ｆの同期制御処理を示すシーケンスも同様の処理であるため説明を省略する。
【００３２】
撮像装置１００と表示装置２００ａ〜２００ｃとの間の接続がネットワークを介して確立する。
【００３３】
各表示装置２００ａ〜２００ｃは、表示処理の同期をとるためのグループを示す同期グループＩＤをＩＤａと決定する。各表示装置が参加する同期グループは、各表示装置に対して予め設定されている情報に基づいて、各表示装置が決定するとする。なお、接続の確立と、同期グループの決定は、順序が前後してもよい。
【００３４】
各表示装置２００ａ〜２００ｃは、撮像装置１００に対して、それぞれ任意の映像信号に対するレポート情報５００ａ〜５００ｃを出力する。
【００３５】
撮像装置１００は、レポート情報５００ａ〜５００ｃを受信し、いずれかのレポート情報を送信した表示装置を、参照処理装置として決定する。
【００３６】
撮像装置１００は、参照処理装置である表示装置から受信したレポート情報を、セッティング情報６００ａとして、表示装置２００ａ〜２００ｃに出力する。
【００３７】
各表示装置２００ａ〜２００ｃは、受信したセッティング情報６００ａに記載された受信時刻情報６０２と、処理時刻情報６０４とに基づいて、各表示装置２００ａ〜２００ｃにおける表示処理の処理時間を調整する。各表示装置２００ａ〜２００ｃは、受信したセッティング情報６００ａに記載された受信時刻情報６０２で示される受信時刻と処理時刻情報６０４で示される処理時刻との差から、表示処理に係る処理時間を算出する。各表示装置２００ａ〜２００ｃは、算出した処理時間で表示処理が実行されるように、表示処理を制御する。
【００３８】
以上の処理により、表示装置２００ａ〜２００ｃ間で、撮像装置１００から出力された映像信号が同期して表示される。
【００３９】
なお、レポート情報の送信は、一定周期で行われるとする。レポート情報の送信は、所定の期間内に少なくとも１回以上実行されるように、各表示装置で制御されてもよい。これにより、各装置への伝送時間や処理時間が変動した場合でも、同期を継続することが可能となる。
【００４０】
図５は、撮像装置１００の機能ブロックを示すブロック図である。
【００４１】
撮像装置１００は、撮像部１０１、パケット生成部１０２、通信部１０３、参照装置決定部１０４、情報生成部１０５、制御部１０６、および記憶部１０７を備える。
【００４２】
撮像部１０１は、被写体を撮影して映像信号を取得する。撮像部１０１は、光学像が入力されるレンズ、レンズを制御するレンズ制御システム、レンズに入力された光学像から画像データを生成する撮像センサを含む。また、撮像部１０１は、撮像センサが出力した映像信号に対して、所定の画像処理を行う画像処理部を備えていてもよい。撮像部１０１は、取得した映像信号をパケット生成部１０２に出力する。
【００４３】
パケット生成部１０２は、撮像部１０１から送出された映像信号をＩＰ化、より具体的には、ＲＴＰパケット化する。パケット生成部１０２は、ＲＴＰパケット化された映像信号を、通信部１０３に出力する。パケット生成部１０２は、図２で示したようなデータパケットの形式に映像信号を変換して、ＲＴＰパケット化された映像信号を生成する。
【００４４】
通信部１０３は、ＬＡＮケーブル３００ｇに接続し、ネットワーク４００を介して信号を送受信するための通信インターフェースである。通信部１０３は、パケット生成部１０２から受信したＲＴＰパケット化された映像信号を、ネットワーク４００を介して、各表示装置２００ａ〜２００ｆに出力する。この時、通信部１０３は、送信したＲＴＰパケット化された映像信号を特定するための情報と当該映像信号を送信した時刻とを関連付けた送信時刻情報を、記憶部１０７に格納する。送信したＲＴＰパケット化された映像信号を特定するための情報は、ＲＦＣ４１７５に記載のＲＴＰ  Ｈｅａｄｅｒのｔｉｍｅｓｔａｍｐ（Ｐａｃｋｅｔ  Ｒｅｃｅｉｖｅｄ  ＲＴＰ  ｔｉｍｅｓｔａｍｐ）であるとする。
また、通信部１０３は、ネットワーク４００を介して、各表示装置２００ａ〜２００ｃからレポート情報５００ａ〜５００ｃを取得し、レポート情報５００ａ〜５００ｃを参照装置決定部１０４および情報生成部１０５に出力する。通信部１０３は、ネットワーク４００を介して、各表示装置２００ａ〜２００ｃに、情報生成部１０５から取得したセッティング情報６００ａを出力する。
【００４５】
同様に、通信部１０３は、ネットワーク４００を介して、各表示装置２００ｄ〜２００ｆからレポート情報５００ｄ〜５００ｆを取得し、レポート情報５００ｄ〜５００ｆを参照装置決定部１０４および情報生成部１０５に出力する。通信部１０３は、ネットワーク４００を介して、各表示装置２００ｄ〜２００ｆに、情報生成部１０５から取得したセッティング情報６００ｂを出力する。
【００４６】
参照装置決定部１０４は、同一の同期グループに含まれる表示装置２００ａ〜２００ｃから受信したレポート情報５００ａ〜５００ｃに基づいて、参照装置を決定する。参照装置決定部１０４は、受信したレポート情報５００の対象信号情報５０３が示す映像信号に対応する送信時刻を記憶部１０７から取得する。参照装置決定部１０４は、取得した送信時刻と受信したレポート情報５００の処理時刻情報５０４が示す処理時刻（表示時刻）との差分に基づいて、映像信号を送信してからレポート情報５００を送信した表示装置２００で表示されるまでの時間（遅延量）を算出する。参照装置決定部１０４は、各表示装置の遅延量を算出し、最も遅延量が大きい表示装置を参照装置として決定する。
【００４７】
また、同様に参照装置決定部１０４は、同一の同期グループに含まれる表示装置２００ｄ〜２００ｆから受信したレポート情報５００ｄ〜５００ｆに基づいて、参照装置を決定する。
【００４８】
情報生成部１０５は、参照装置から受信したレポート情報５００に基づいてセッティング情報６００ａと、６００ｂと、を生成する。情報生成部１０５は、参照装置から受信したレポート情報５００をセッティング情報６００ａ、セッティング情報６００ｂとして、通信部１０３に出力する。
【００４９】
制御部１０６は、撮像装置１００の各機能ブロックの動作を制御するプロセッサである。制御部１０６は、Ｃｅｎｔｒａｌ  Ｐｒｏｃｅｓｓｉｎｇ  Ｕｎｉｔ（ＣＰＵ）であるとする。制御部１０６は、記憶部１０７からプログラムやパラメータを読み出して実行することにより、撮像装置１００の各機能ブロックの動作を制御するとする。また、制御部１０６は、撮像装置１００の各機能ブロックの一部もしくはすべての動作をプログラムを実行することによって実現するものであってもよい。
【００５０】
記憶部１０７は、撮像装置１００の動作のためのプログラム、パラメータ、およびデータを記憶する記憶媒体である。記憶部１０７は、例えば、不揮発性の記憶媒体であるとする。なお、記憶部１０７は、揮発性の記憶媒体および不揮発性の記憶媒体を複合して用いるものであってもよい。
【００５１】
図６は、表示装置２００の機能ブロックを示すブロック図である。
【００５２】
表示装置２００は、通信部２０１、ジッタ吸収部２０２、復号部２０３、遅延処理部２０４、信号処理部２０５、表示部２０６、遅延量取得部２０８、受信時刻取得部２０９、表示時刻取得部２１０、レポート生成部２１１、セッティング取得部２１２、参照装置判定部２１３、遅延量算出部２１４、操作部２１５、制御部２１６、および記憶部２１７を備える。
【００５３】
通信部２０１は、ＬＡＮケーブル３００に接続し、ネットワーク４００を介して信号を送受信するための通信インターフェースである。通信部２０１は、受信したＲＴＰパケット化された映像信号をジッタ吸収部２０２に出力する。この時、通信部２０１は、ＲＴＰパケット化された映像信号を受信した受信時刻と、対応するＲＴＰパケット化された映像信号を特定する情報とを、受信時刻取得部２１０に出力する。
【００５４】
通信部２０１は、レポート生成部２１１から取得したレポート情報５００をネットワークを介して撮像装置１００に出力する。また、通信部２０１は、ネットワーク４００を介して、撮像装置１００からセッティング情報６００を取得し、セッティング情報６００をセッティング取得部２１２に出力する。
【００５５】
ジッタ吸収部２０２は、ＬＡＮケーブル３００と、接続するＩＰネットワーク４００の通信ジッタにより生じるＲＴＰパケットの受信時のジッタを伝搬させないようにするためのジッタ吸収バッファである。
【００５６】
復号部２０３は、ＲＴＰパケット化された映像信号を復号する。
【００５７】
遅延処理部２０４は、メモリを備え、復号部２０３で復元された映像信号をメモリに一時的に蓄えることで、映像信号を受信してから表示部２０６で画像を表示するまでの処理時間を遅延させる。これにより、表示部２０６における画像表示のタイミングを調整して、他の表示装置の表示と同期させることが可能となる。遅延量は、後述する遅延量算出部２１４から取得する。
【００５８】
信号処理部２０５は、表示部２０６に表示される映像信号に対して、補正などの信号処理を行う。信号処理部２０５は、信号処理を施した映像信号を表示部２０６に出力する。
【００５９】
表示部２０６は、取得した映像信号に基づいて画像を表示する表示装置である。例えば、表示部２０６は、有機ＥＬディスプレイモジュールであるとする。表示部２０６は、外部の表示デバイスに映像信号を出力して、表示デバイスに画像を表示させる映像出力端子であってもよい。表示部２０６は、ＲＴＰパケット化された映像信号に基づいて画像を表示した（表示処理を実行した）表示時刻と対応するＲＴＰパケット化された映像信号を特定する情報とを、を表示時刻取得部２１０に出力する。
【００６０】
遅延量取得部２０８は、ジッタ吸収部２０２と、復号部２０３と、信号処理部２０５とにおける各処理時間を取得する。
【００６１】
受信時刻取得部２０９は、ＲＴＰパケット化された映像信号を受信した受信時刻と対応するＲＴＰパケット化された映像信号を特定する情報とを取得して、記憶部２１７に格納する。
【００６２】
表示時刻取得部２１０は、ＲＴＰパケット化された映像信号に基づいて画像を表示した（表示処理を実行した）表示時刻と対応するＲＴＰパケット化された映像信号を特定する情報とを、取得して記憶部２１７に格納する。
【００６３】
レポート生成部２１１は、記憶部２１７から、対象とするＲＴＰパケット化された映像信号を示す情報（ＲＴＰ  ｔｉｍｅｓｔａｍｐ）と、対応する受信時刻、および表示時刻を読み出す。また、レポート生成部２１１は、あらかじめ設定された同期グループＩＤを示す情報を記憶部２１７から読み出す。レポート生成部２１１は、対象とするＲＴＰパケット化された映像信号を示す情報（ＲＴＰ  ｔｉｍｅｓｔａｍｐ）と、対応する受信時刻、および表示時刻と、同期グループＩＤを示す情報とに基づいて、レポート情報５００を生成する。レポート生成部２１１は、レポート情報５００を通信部２０１に出力する。通信部２０１は、レポート情報５００を、ネットワーク４００を介して撮像装置１００に出力する。また、レポート生成部２１１は、記憶部２１７に出力したレポート情報５００を格納する。
【００６４】
セッティング取得部２１２は、通信部２０１を介して、撮像装置１０１が送信するセッティング情報６００を取得する。セッティング取得部２１２は、セッティング情報を参照装置判定部２１３と遅延量算出部２１４とに出力する。
【００６５】
参照装置判定部２１３は、受信したセッティング情報６００と、記憶部２１７に記憶された送信済みのレポート情報５００とを比較する。受信したセッティング情報６００に一致する送信済みのレポート情報５００が存在する場合、表示装置２００が同期グループにおける参照装置であると判定する。参照装置判定部２１３は、判定結果を記憶部２１７に格納する。
【００６６】
遅延量決定部２１４は、遅延処理部２０４で付与する遅延量を決定する。遅延量決定部２１４は、参照装置判定部２１３が、表示装置２００が同期グループにおける参照装置であると判定した場合、遅延量を０とする。遅延量決定部２１４は、参照装置判定部２１３が、表示装置２００が同期グループにおける参照装置でないと判定した場合、セッティング情報６００に基づいて遅延量を決定する。具体的には、遅延量決定部２１４は、セッティング情報６００の対象信号情報６０３に基づいて対象とするＲＴＰパケット化された映像信号を特定し、対応する処理時刻情報６０４に基づいて参照装置における表示時刻Ｔａを取得する。
【００６７】
また、遅延量決定部２１４は、記憶部２１７から特定されたＲＴＰパケット化された映像信号に基づいて、表示部２０６で画像が表示された表示時刻Ｔｂを取得する。遅延量決定部２１４は、表示時刻Ｔａと表示時刻Ｔｂとの差を遅延量として決定する。
【００６８】
操作部２１５は、ユーザが表示装置２００の各機能ブロックに対する指示を入力するための操作手段である。制御部２１６は、表示装置２００の各機能ブロックの動作を制御するプロセッサである。制御部２１６は、Ｃｅｎｔｒａｌ  Ｐｒｏｃｅｓｓｉｎｇ  Ｕｎｉｔ（ＣＰＵ）であるとする。
【００６９】
制御部２１６は、記憶部２１７からプログラムやパラメータを読み出して実行することにより、表示装置２００の各機能ブロックの動作を制御するとする。また、制御部２１６は、表示装置２００の各機能ブロックの一部もしくはすべての動作をプログラムを実行することによって実現するものであってもよい。
【００７０】
記憶部２１７は、表示装置２００の動作のためのプログラム、パラメータ、およびデータを記憶する記憶媒体である。記憶部２１７は、例えば、不揮発性の記憶媒体であるとする。なお、記憶部２１７は、揮発性の記憶媒体および不揮発性の記憶媒体を複合して用いるものであってもよい。
【００７１】
上述の撮像装置１００と表示装置２００ａ〜２００ｆとを含む伝送システムによれば、撮像装置１００から出力された映像信号を各表示装置２００ａ〜２００ｃとで同期して表示することと、各表示装置２００ｄ〜２００ｆとで同期して表示することが可能となる。また、レポート情報５００の送受信と、それに応答するセッティング情報６００の送受信および遅延量制御は、所定の周期で実行されるとする。これにより、各表示装置における処理時間が変動した場合においても、表示の同期を維持することが可能となる。
【００７２】
以上が、図１の同期制御システムにおける一連の動作である。
【００７３】
＜第１の実施形態＞
以下、本発明の第１の実施形態について説明する。上述の伝送システムの制御に関して、表示装置２００ａ〜２００ｃで同期表示を行い、表示装置２００ｄ〜２００ｆとで表示同期を行う場合について説明をおこなった。
【００７４】
この場合、ユーザーが、表示装置２００ａ〜２００ｆの全ての表示同期を行う場合は、表示装置２００ｄ〜２００ｆの各表示装置に設定されている同期グループＩＤを表示装置２００ａ〜２００ｃの同期グループＩＤと同じ同期グループＩＤに設定しなおす必要がある。
【００７５】
つまり、表示装置２００ａ〜２００ｆの全ての表示同期を行う場合と、表示装置２００ａ〜２００ｃで同期表示を行い、表示装置２００ｄ〜２００ｆで同期表示で同期を行う場合と、の切換を行う場合にその都度、各表示装置２００ｄ〜２００ｆの同期グループＩＤの再設定が必要となる。
【００７６】
もしくは、切換を行う場合にその都度、各表示装置２００ａ〜２００ｃの同期グループＩＤの再設定が必要となる。
【００７７】
図７は、本発明の実施の形態１に係る撮像装置７００の構成図である。尚、本実施形態において、図５の撮像装置１００と同一の構成については同一の符号を付し、重複した説明は省略する。
【００７８】
撮像装置７００は、表示同期の方法を決定する同期モード決定部７０１を備える。同期モード決定部７０１は、前述した同期の方法で各同期グループ毎で表示の同期処理を行う通常同期モードと、撮像装置７００と接続されている全ての表示装置の表示の同期処理を行う全同期モードと、のどちらかの同期モードかを決定する処理部である。
【００７９】
また、同期モード決定部７０１での同期モード決定は図示しないユーザーインタフェースによるユーザーの指定に従って決定する。
【００８０】
情報生成部７０２は、周期的にセッティング情報を生成する際に、同期モード決定部７０１から同期モードを取得する。
【００８１】
そして、情報生成部７０２は、同期モードが通常同期モードである場合、情報生成部１０５は、参照装置から受信したレポート情報５００に基づいてセッティング情報６００ａと、６００ｂと、を生成する。情報生成部１０５は、参照装置から受信したレポート情報５００をセッティング情報６００ａ、セッティング情報６００ｂとして、通信部１０３に出力する。この処理は情報生成部１０５の処理と同じである。
【００８２】
情報生成部７０２は、同期モードが全同期モードである場合、情報生成部１０５は、参照装置から受信したレポート情報５００に基づいてセッティング情報６００ａと、６００ｂと、を生成する。
【００８３】
そして、情報生成部１０５はセッティング情報６００ａと、６００ｂの遅延量の大きさの比較を行う。
【００８４】
そして、遅延量の比較の結果、グループＩＤ情報６０１以外の情報について、遅延量が小さい方のセッティング情報を遅延量の大きい方のセッティング情報に変更する。
【００８５】
例えば、セッティング情報６００ａの遅延量がセッティング情報６００ｂの遅延量より小さい場合は、グループＩＤ情報６０１以外の情報について、セッティング情報６００ａの情報をセッティング情報６００ｂの情報で更新する。
【００８６】
そのため、セッティング情報６００ａと、セッティング情報６００ｂの受信時刻情報６０２、対象信号情報６０３、および処理時刻情報６０４は同じ値となる。
【００８７】
その結果、表示装置２００ａ〜２００ｃが受信するセッティング情報６００ａの遅延量は、表示装置２００ｄ〜２００ｆが受信するセッティング情報６００ｂの遅延量と同じ値となるため、各表示装置２００ａ〜２００ｆの表示が全て同期することが可能となる。
【００８８】
以上のように、情報生成部７０１が同期モードに応じてセッティング情報の生成方法を切換かえることが、グループＩＤ毎に表示装置を同期させることと、全表示装置を同期させることと、を切換えることが容易となる。
【００８９】
また、本実施の形態では、全同期モードに時に情報生成部１０５が各グループのセッティング情報の遅延量を比較の結果、セッティング情報を更新したが、参照装置決定部１０４は、全グループの中で、最も遅延量が大きい表示装置を参照装置として決定し、その参照装置のレポート情報から各同期グループのセッティング情報を生成してもよい。
【００９０】
また、本実施の形態では、同期モード決定部７０１の同期モード決定は図示しないユーザーインタフェースによるユーザーの同期モードの指定に従って同期モードを決定したが、ピント調整やピーキング表示等のカメラ操作やメニュー操作に応じて同期モードの決定を行ってもよい。
【００９１】
＜第２の実施形態＞
図８は、本発明の実施の形態２に係る撮像装置８００の構成図である。尚、本実施形態において、図７の撮像装置７００と同一の構成については同一の符号を付し、重複した説明は省略する。
【００９２】
撮像装置８００は、同期の基準となるグループを決定する優先グループ決定部８０１を備える。
【００９３】
優先グループ決定部８０１は、同期モード決定部７０１が決定する同期モードが全同期モードである場合に、同期の基準となるグループを決定する処理部である。
【００９４】
また、優先グループ決定部８０１の優先グループの決定は図示しないユーザーインタフェースによるユーザーの優先グループの指定に従って決定する。
【００９５】
また、優先グループの選択として、ユーザーは優先グループを複数選択することや、優先グループなしを選択することも可能である。
【００９６】
そして、優先グループ決定部８０１は決定した優先グループを情報生成部８０２に通知する。
【００９７】
情報生成部８０２は、同期モード決定部７０１が決定する同期モードが通常同期モードの場合と、全同期モードでかつ優先グループ決定部８０１の決定する優先グループが優先グループなしの場合は、実施の形態１の情報生成部７０２と同じ処理をする。
【００９８】
同期モード決定部７０１が決定する同期モードが全同期モードでかつ優先グループ決定部８０１の決定する優先グループが選択されている場合について、情報生成部８０２が各同期グループのセッティング情報を生成する方法を図９のシーケンスに従って説明する。
【００９９】
情報生成部８０２は、セッティング情報生成対象の同期グループが、優先グループ決定部８０１から通知されている優先グループである場合（Ｓ９０１がＹＥＳ）、その同期グループ内の参照装置のレポート情報からセッティング情報を生成する（Ｓ９０２）。
つまり、この場合は、情報生成部８０２は、撮像装置１００の情報生成部１０５と同じ処理をする。
【０１００】
情報生成部８０２は、セッティング情報生成対象の同期グループが、優先グループ決定部８０１から通知されている優先グループではなく場合（Ｓ９０１がＮＯ）、優先グループのセッティング情報の遅延量より、該同期グループのセッティング情報の遅延量の方が小さい場合（Ｓ９０３がＹＥＳ）、優先グループのセッティング情報を使用してセッティング情報を作成する（Ｓ９０４）。
【０１０１】
つまり、グループＩＤ情報６０１以外の情報について、該同期グループのセッティング情報の情報を優先グループのセッティング情報の情報で更新する。
【０１０２】
情報生成部８０２は、セッティング情報生成対象の同期グループが、優先グループ決定部８０１から通知されている優先グループではなく場合（Ｓ９０１がＮＯ）、優先グループのセッティング情報の遅延量より、該同期グループのセッティング情報の遅延量の方が大きい場合（Ｓ９０３がＮＯ）、同期グループ内の参照装置のレポート情報からセッティング情報を生成する（Ｓ９０５）。
【０１０３】
つまり、この場合は、情報生成部８０２は、撮像装置１００の情報生成部１０５と同じ処理をする。
【０１０４】
以上の制御により、全同期モードでもあっても優先グループの遅延量は他のグループの遅延量に影響を受けず、優先グループ以外は、優先グループに遅延量を合わせることができる場合のみ全表示装置の表示の同期を行うことが可能となる。
【０１０５】
それによって、ユーザーが遅延量を変動させたくない同期グループの遅延量を変更することなく、全表示装置の同期を行うことができる場合のみ表示同期を行うことが可能となる。
【０１０６】
また、本実施の形態では、全同期モード時に情報生成部８０２が優先グループのセッティング情報から他の同期グループのセッティング情報の作成を行ったが、全同期モードに時に参照装置決定部１０４は、優先グループの中で、最も遅延量が大きい表示装置を参照装置として決定し、その参照装置のレポート情報から各同期グループのセッティング情報を生成してもよい。
【符号の説明】
【０１０７】
１００，７００，８００  撮像装置、
２００ａ，２００ｂ，２００ｃ，２００ｄ，２００ｅ，２００ｆ  表示装置、
３００ａ，３００ｂ，３００ｃ，３００ｄ，３００ｅ，３００ｆ，３００ｇ  ＬＡＮケーブル、
４００  ＩＰネットワーク網、１０１  撮像部、１０２  パケット生成部、
１０３  通信部、１０４  参照装置決定部、１０５  情報生成部、
１０６  制御部、１０７  記憶部、２０１  通信部、２０２  ジッタ吸収部、
２０３  複合部、２０４  遅延処理部、２０５  信号処理部、２０６  表示部、
２０８  遅延量取得部、２０９  受信時刻取得部、２１０  表示時刻取得部、
２１１  レポート生成部、２１２  セッティング取得部、２１３  参照装置判定部、
２１４  遅延量決定部、２１５  操作部、２１６  制御部、２１７  記憶部、
７０１  同期モード決定部、７０２  情報生成部、８０１  優先グループ決定部、
８０２  情報生成部
【図１】
2020107924.tif 000003
【図２】
2020107924.tif 000004
【図３】
2020107924.tif 000005
【図４】
2020107924.tif 000006
【図５】
2020107924.tif 000007
【図６】
2020107924.tif 000008
【図７】
2020107924.tif 000009
【図８】
2020107924.tif 000010
【図９】
2020107924.tif 000011